(57)【要約】【課題】配信設定に関するユーザの手間を省くこと又はユーザにとって有益な配信設定を行うことが可能な情報配信システム及びクライアント端末を提供することを目的する。【解決手段】情報配信システム１０のクライアント端末１２は、サーバ１４からクライアント端末１２へのプッシュ配信をするための配信設定に対応付けられた複数の色彩の選択肢１０６ａ〜１０６ｍを含む色彩選択画面１００を表示し、ユーザにより色彩の選択肢１０６ａ〜１０６ｍのいずれかが選択された後、選択された色彩の選択肢に対応する配信設定を表示する配信設定確認画面１２０、１０４ａ〜１０４ｄを表示する。【選択図】図３
2015035029.tif 000002
【特許請求の範囲】
【請求項１】
クライアント端末と、前記クライアント端末に対して各種情報をプッシュ配信するサーバとを備える情報配信システムであって、
前記クライアント端末は、
前記サーバから前記クライアント端末へのプッシュ配信をするための配信設定に対応付けられた複数の色彩の選択肢を含む色彩選択画面を表示し、
ユーザにより前記色彩の選択肢のいずれかが選択された後、選択された色彩の選択肢に対応する前記配信設定を表示する配信設定確認画面を表示し、
前記配信設定確認画面では、前記ユーザの操作に応じて前記配信設定の変更が可能である
ことを特徴とする情報配信システム。
【請求項２】
請求項１記載の情報配信システムにおいて、
前記色彩の選択肢に対応して選択される前記配信設定は、前記サーバが前記クライアント端末に対して前記各種情報をプッシュ配信する配信頻度を含む
ことを特徴とする情報配信システム。
【請求項３】
請求項１又は２記載の情報配信システムにおいて、
前記クライアント端末は、前記選択された色彩の選択肢に対応する前記配信設定に加え、前記選択された色彩の選択肢に対応するキャラクタを前記配信設定確認画面に表示する
ことを特徴とする情報配信システム。
【請求項４】
請求項１〜３のいずれか１項に記載の情報配信システムにおいて、
前記色彩の選択肢に対応して選択される前記配信設定は、前記サーバがプッシュ配信する前記各種情報の種類を選択する種類選択設定を含み、
前記配信設定確認画面では、前記ユーザの操作に応じて前記種類選択設定の変更が可能であり、
前記サーバは、前記配信設定確認画面で確認された前記種類選択設定に応じた情報を前記クライアント端末に配信する
ことを特徴とする情報配信システム。
【請求項５】
請求項１〜４のいずれか１項に記載の情報配信システムにおいて、
前記クライアント端末は、前記配信設定確認画面又はその後の表示画面の背景色として、前記選択された色彩を用いる
ことを特徴とする情報配信システム。
【請求項６】
サーバから各種情報のプッシュ配信を受けるクライアント端末であって、
前記クライアント端末は、
前記サーバから前記クライアント端末へのプッシュ配信をするための配信設定に対応付けられた複数の色彩の選択肢を含む色彩選択画面を表示し、
ユーザにより前記色彩の選択肢のいずれかが選択された後、選択された色彩の選択肢に対応する前記配信設定を表示する配信設定確認画面を表示し、
前記配信設定確認画面では、前記ユーザの操作に応じて前記配信設定の変更が可能である
ことを特徴とするクライアント端末。
【発明の詳細な説明】
【技術分野】
【０００１】
本発明は、クライアント端末と、前記クライアント端末に対して各種情報をプッシュ配信するサーバとを備える情報配信システム及びクライアント端末に関する。
【背景技術】
【０００２】
サーバからクライアント端末に対してユーザの属性に合った各種情報（コンテンツを含む。）をプッシュ配信するシステムが存在する（特許文献１、２）。そのようなシステムでは、クライアント端末においてユーザの属性を入力する必要がある。特許文献１では、ユーザ属性を入力させるため、クライアント２において、ユーザ属性を登録するよう指示するダイヤログ等が表示され、ユーザにユーザ属性の登録を促す（［００２３］）。
【０００３】
特許文献２では、利用者（ユーザ）は、予めキーワードテーブルから自分が興味のあるキーワードを選択し、選択したキーワードを利用者情報テーブル１０に、システム管理者又は利用者により入力部１５を介して登録してもらう（［００２５］）。また、情報取得コンピュータ３をネットワークを介して情報提供コンピュータ１に接続させ、情報取得コンピュータ３からユーザが利用者情報テーブル１０のキーワードＩＤ２９の領域にキーワードを登録するようにしてもよいとされている（［００２５］）。
【先行技術文献】
【特許文献】
【０００４】
【特許文献１】特開２０００−０６７０６７号公報
【特許文献２】特開平１０−１３４０７６号公報
【発明の概要】
【発明が解決しようとする課題】
【０００５】
自らの嗜好又は要望に応じた情報を希望するユーザを満足させることができる配信サービスを提供するには、ユーザの嗜好又は要望に応じた配信設定項目を多数設ける必要が生じる。
【０００６】
しかしながら、配信設定項目が増加すると、ユーザが各項目の内容を読んで理解する時間と、各項目について判断して設定操作をする手間が増加してしまう。
【０００７】
また、各配信設定項目の名称を見ただけでは、その内容が分かり難い場合がある。加えて、ユーザになじみのない項目については、設定内容を決定することが難しくなる。さらに、配信設定項目に関するユーザの先入観で設定してしまうことで、大切な配信設定が欠落したり、適切に設定されなくなるおそれも考えられる。
【０００８】
本発明は、上記のような事情を考慮したものであり、配信設定に関するユーザの手間を省くこと又はユーザにとって有益な配信設定を行うことが可能な情報配信システム及びクライアント端末を提供することを目的する。
【課題を解決するための手段】
【０００９】
本発明に係る情報配信システムは、クライアント端末と、前記クライアント端末に対して各種情報をプッシュ配信するサーバとを備えるものであって、前記クライアント端末は、前記サーバから前記クライアント端末へのプッシュ配信をするための配信設定に対応付けられた複数の色彩の選択肢を含む色彩選択画面を表示し、ユーザにより前記色彩の選択肢のいずれかが選択された後、選択された色彩の選択肢に対応する前記配信設定を表示する配信設定確認画面を表示し、前記配信設定確認画面では、前記ユーザの操作に応じて前記配信設定の変更が可能であることを特徴とする。
【００１０】
本発明によれば、ユーザが色彩の選択肢を選択することにより、プッシュ配信のための配信設定を入力することが可能となる。このため、配信設定に関するユーザの入力の手間を省くことが可能となる。これにより、特に、配信設定を初めて入力する場合にユーザの利便性を向上することが可能となる。
【００１１】
また、配信設定の中に、内容がわかり難い項目、ユーザが知らない項目又はユーザが誤解していた項目（例えば、ユーザが不要であると決めつけていたが、実はユーザにとって興味深い項目）がある場合、ユーザに有益な配信設定を行うことが可能となる。特に、色彩は、その時点のユーザの気分を反映するものであるため、色彩の選択肢の選択を、比較的高い頻度で（例えば、毎日）行うようにすれば、配信設定に関する理解をユーザに強いることなく、ユーザに有益な配信を行うことができる可能性が高まる。
【００１２】
さらに、色彩は、ユーザの心理状態や嗜好、性格を表すものとして用いることが可能である。このため、心理状態、嗜好又は性格と色彩とを心理学の知見を用いて関連付けた上で、色彩と配信設定を対応付けることで、ユーザにとってさらに有益な又は効果的な配信設定を実現することが可能となる。
【００１３】
前記色彩の選択肢に対応して選択される前記配信設定は、前記サーバが前記クライアント端末に対して前記各種情報をプッシュ配信する配信頻度を含んでもよい。
【００１４】
どの程度の配信頻度とすることが適切であるかを判断することはユーザが即断することが困難であるとも考えられる。本発明によれば、ユーザの性格や心理状態の一部を反映すると言われる色彩の選択肢の選択により配信頻度を設定することができるため、配信頻度を選択するユーザの戸惑いや、頻度調節の手間を軽減することが可能となる。
【００１５】
加えて、色彩が示す心理状態、嗜好又は性格を踏まえた上で、色彩と配信頻度を関連付ければ、色彩の選択を介して、ユーザの心理状態、嗜好又は性格に合わせて配信頻度を設定することが可能となる。
【００１６】
前記クライアント端末は、前記選択された色彩の選択肢に対応する前記配信設定に加え、前記選択された色彩の選択肢に対応するキャラクタを前記配信設定確認画面に表示してもよい。これにより、ユーザが選択した色彩の選択肢に対応するキャラクタを、配信設定と共に配信設定確認画面に表示することが可能となる。従って、ユーザに対して、色彩の選択肢を選択する動機を付与すると共に、配信設定の確認を楽しく行わせることが可能となる。
【００１７】
前記色彩の選択肢に対応して選択される前記配信設定は、前記サーバがプッシュ配信する前記各種情報の種類を選択する種類選択設定を含み、前記配信設定確認画面では、前記ユーザの操作に応じて前記種類選択設定の変更が可能であり、前記サーバは、前記配信設定確認画面で確認された前記種類選択設定に応じた情報を前記クライアント端末に配信してもよい。
【００１８】
上記によれば、ユーザが選択した色彩の選択肢に応じて種類選択設定の初期値が選択される。このため、種類選択設定の入力作業を簡易化することが可能となる。また、サーバは、配信設定確認画面においてユーザによる確認又は変更を経た種類選択設定に応じた情報をプッシュ配信する。このため、ユーザの嗜好又は要望に合ったプッシュ配信（パーソナルサービス）をすることが可能となる。
【００１９】
加えて、色彩の選択肢に対応した種類選択設定を繰り返し行う場合、配信設定確認画面での確認又は変更を経ることで、ユーザの嗜好又は要望をより適切に反映した種類選択設定を行うことも可能になる。
【００２０】
前記クライアント端末は、前記配信設定確認画面又はその後の表示画面の背景色として、前記選択された色彩を用いてもよい。これにより、配信設定のための色彩の選択が、配信設定確認画面又はその後の表示画面の背景色の選択を兼ねることとなる。このため、ユーザにとって、配信設定のための色彩の選択をより興味深いものとすることが可能となる。また、色彩の選択肢に対応した配信設定を繰り返し行う場合、ユーザは、色彩の選択肢の選択に伴う背景色の変化を楽しむことができる。
【００２１】
本発明に係るクライアント端末は、サーバから各種情報のプッシュ配信を受けるものであって、前記クライアント端末は、前記サーバから前記クライアント端末へのプッシュ配信をするための配信設定に対応付けられた複数の色彩の選択肢を含む色彩選択画面を表示し、ユーザにより前記色彩の選択肢のいずれかが選択された後、選択された色彩の選択肢に対応する前記配信設定を表示する配信設定確認画面を表示し、前記配信設定確認画面では、前記ユーザの操作に応じて前記配信設定の変更が可能であることを特徴とする。
【発明の効果】
【００２２】
本発明によれば、配信設定に関するユーザの手間を省くこと又はユーザにとって有益な配信設定を行うことが可能となる。
【図面の簡単な説明】
【００２３】
【図１】本発明の一実施形態に係る情報配信システムの概略的な構成を示す図である。
【図２】クライアント端末が配信設定プログラムを取得する際のフローチャートである。
【図３】前記クライアント端末において配信設定の初回入力を行うフローチャートである。
【図４】色彩選択画面の一例を示す図である。
【図５】配信頻度確認画面の一例を示す図である。
【図６】各種設定初期画面の一例を示す図である。
【図７】前記各種設定初期画面に続く各種設定確認画面の一例を示す図である。
【図８】前記実施形態の色彩選択画面（図４）の変形例としての色彩選択画面を示す図である。
【図９】図８の前記色彩選択画面に続いて表示される各種設定確認画面の一例を示す図である。
【発明を実施するための形態】
【００２４】
Ａ．一実施形態
［１．構成］
（１−１．全体構成）
図１は、本発明の一実施形態に係る情報配信システム１０（以下「システム１０」とも称する。）の概略的な構成を示す図である。システム１０は、複数のクライアント端末１２（以下「端末１２」ともいう。）と、配信サーバ１４（以下「サーバ１４」ともいう。）とを備える。本実施形態において、各クライアント端末１２とサーバ１４とは、通信ネットワーク１６を介して通信可能である。
【００２５】
（１−２．クライアント端末１２）
図１に示すように、クライアント端末１２は、入出力部２０、通信部２２、現在位置検出部２４、操作部２６、演算部２８、記憶部３０及び表示部３２を有する。入出力部２０は、クライアント端末１２における信号の入出力を行う。通信部２２は、無線又は有線を介してサーバ１４と通信を行う。現在位置検出部２４は、端末１２の現在位置を検出する。操作部２６は、タッチパネル等の入力装置を備え、ユーザの指令を入力する。
【００２６】
演算部２８は、クライアント端末１２の各部を制御するものであり、色彩選択制御部４０及び配信設定制御部４２を備える。後述するように、色彩選択制御部４０及び配信設定制御部４２は、配信設定プログラムＰｄを起動することにより形成され、表示部３２に表示を行う。色彩選択制御部４０は、配信設定のためにユーザに色彩の選択を行わせる。配信設定制御部４２は、配信設定の入力又は選択を制御する。ここでの配信設定は、サーバ１４からクライアント端末１２に対する各種情報（以下「お薦め情報Ｉｒｅｃ」という。）のプッシュ配信を行うためのものである。
【００２７】
配信設定制御部４２は、初期設定制御部５０、設定変更制御部５２及び背景色制御部５４を有する。初期設定制御部５０は、配信設定の初期値（初期設定）を制御する。この際、初期値の一部を、ユーザが選択した色彩に応じて選択する。設定変更制御部５２は、ユーザの操作に応じて配信設定を変更する。背景色制御部５４は、配信設定の表示画面及びその他の表示画面の背景色を制御する。
【００２８】
記憶部３０は、演算部２８で用いる制御プログラム等の各種のプログラムやデータを記憶する。各種のデータの中には、クライアント端末１２のユーザ情報が含まれる。また、当該ユーザ情報の中には、ユーザ又はクライアント端末１２を特定するためのユーザ識別情報（ユーザＩＤ）が含まれる。表示部３２は、配信設定に用いる画面等の各種画面を表示する。操作部２６がタッチパネルである場合、操作部２６と表示部３２とは同一ユニットとして構成することができる。
【００２９】
クライアント端末１２のハードウェア構成としては、例えば、市販のスマートフォンを用いることができる。
【００３０】
（１−３．サーバ１４）
図１に示すように、サーバ１４は、入出力部６０、通信部６２、操作部６４、演算部６６、記憶部６８及び表示部７０を備える。入出力部６０は、サーバ１４における信号の入出力を行う。通信部６２は、無線又は有線を介して各クライアント端末１２と通信を行う。操作部６４は、キーボード等の入力装置を備え、サーバ１４の管理者の指令を入力する。
【００３１】
演算部６６は、サーバ１４の各部を制御するものであり、データベース管理部８０（以下「ＤＢ管理部８０」という。）及び配信制御部８２を備える。ＤＢ管理部８０は、記憶部６８に含まれるデータベースを管理する。配信制御部８２は、サーバ１４から各クライアント端末１２に対する各種情報（お薦め情報Ｉｒｅｃ）のプッシュ配信を制御する。
【００３２】
記憶部６８は、演算部６６で用いる制御プログラム等の各種のプログラムやデータを記憶する。記憶部６８は、ユーザデータベース９０（以下「ユーザＤＢ９０」と称する。）と、コンテンツデータベース９２（以下「コンテンツＤＢ９２」と称する。）と、地図データベース９４（以下「地図ＤＢ９４」という。）とを有する。
【００３３】
ユーザＤＢ９０には、各クライアント端末１２のユーザに関する情報（パーソナル・データ）が含まれる。ユーザに関する情報としては、例えば、氏名、性別、生年月日（年齢）及びユーザＩＤが含まれる。
【００３４】
コンテンツＤＢ９２には、お薦め情報Ｉｒｅｃとしてのコンテンツが含まれる。ここでのコンテンツとしては、例えば、楽曲、各種ニュース、各種記事、イベント情報等が含まれる。地図ＤＢ９４は、各種の地図情報（例えば、施設情報）を含む。
【００３５】
［２．各種制御］
（２−１．概要）
以下では、配信サーバ１４から特定のクライアント端末１２に対してお薦め情報Ｉｒｅｃのプッシュ配信を行うまでのクライアント端末１２及び配信サーバ１４における各種制御を説明する。本実施形態では、まずユーザは、クライアント端末１２を用いて配信設定プログラムＰｄを取得（ダウンロード及びインストール）する。配信設定プログラムＰｄは、クライアント端末１２において配信設定を行うためのプログラムである。
【００３６】
本実施形態の配信設定プログラムＰｄは、パーソナル・アシスト・アプリケーション・プログラム（以下「ＰＡＡＰ」という。）の一部としてＰＡＡＰに含まれる。ＰＡＡＰは、クライアント端末１２のユーザそれぞれの属性（パーソナル・データ）に応じた情報を、お薦め情報Ｉｒｅｃとしてクライアント端末１２にプッシュ配信するためにクライアント端末１２で動作するプログラムである。
【００３７】
配信設定プログラムＰｄを含むＰＡＡＰを取得した後、ユーザは、クライアント端末１２を操作して配信設定の入力を行う。配信設定の入力が完了すると、当該配信設定は、サーバ１４に送信される。サーバ１４は、クライアント端末１２から受信した配信設定に応じて、お薦め情報Ｉｒｅｃをプッシュ配信する。
【００３８】
（２−２．配信設定プログラムＰｄの取得）
図２は、クライアント端末１２が配信設定プログラムＰｄ（ＰＡＡＰ）を取得する際のフローチャートである。ステップＳ１において、クライアント端末１２は、ユーザの操作に応じて、サーバ１４に対して配信設定プログラムＰｄ（ＰＡＡＰ）の送信を要求する。
【００３９】
ステップＳ２において、サーバ１４は、クライアント端末１２からの要求に応じて配信設定プログラムＰｄ（ＰＡＡＰ）をクライアント端末１２に送信する。配信設定プログラムＰｄ（ＰＡＡＰ）は、サーバ１４の記憶部６８に記憶されている。ステップＳ３において、クライアント端末１２は、配信設定プログラムＰｄ（ＰＡＡＰ）を受信する。ステップＳ４において、クライアント端末１２は、ユーザの操作に応じて、配信設定プログラムＰｄ（ＰＡＡＰ）をインストールする。
【００４０】
なお、配信設定プログラムＰｄ（ＰＡＡＰ）の入手は、配信サーバ１４からではなく、例えば、ウェブサイトを介してオンラインショッピングの形式で行うことも可能である。
【００４１】
（２−３．配信設定の入力）
（２−３−１．配信設定の初回入力）
図３は、クライアント端末１２において配信設定の初回入力を行うフローチャートである。ステップＳ１１において、クライアント端末１２は、ユーザの操作（例えば、アイコンの選択）に応じて配信設定プログラムＰｄ（ＰＡＡＰ）を起動する。ステップＳ１２において、クライアント端末１２（色彩選択制御部４０）は、色彩選択画面１００（以下「画面１００」ともいう。）を表示部３２に表示させる。
【００４２】
図４には、色彩選択画面１００の一例が示されている。図４における破線は、仮想線を意味する（図５〜図９も同様である。）。図４に示すように、画面１００の上側には、「ようこそ  はじめまして」とのメッセージ１０２が表示される。画面１００の中央には、「あなたの好きな色をタップ」とのメッセージ１０４と共に、複数の色彩の選択肢（以下「色彩選択肢１０６ａ〜１０６ｍ」といい、「色彩選択肢１０６」と総称する。）が表示される。
【００４３】
本実施形態では、色彩選択肢１０６ａ〜１０６ｍの色彩は、赤、茶色、オレンジ、黄色、緑、黒、灰色、白、水色、青、濃紺、紫、ピンクである。すなわち、色彩選択肢１０６ａ〜１０６ｍは、それぞれの中に示されている色で表示される（色彩選択肢１０６ａ〜１０６ｍ中における文字は、実際には表示されない。）。各色彩選択肢１０６ａ〜１０６ｍは、無模様且つ同一形状（円状）のものが同心円上に配置される。
【００４４】
画面１００の下側には、ＯＫボタン１０８と、「あとで変えられます」とのメッセージ１１０が表示される。ユーザは、メッセージ１０４に従って色彩選択肢１０６ａ〜１０６ｍのいずれかを選択する。
【００４５】
図３に戻り、色彩選択肢１０６ａ〜１０６ｍのいずれも選択されていない場合（Ｓ１３：ＮＯ）、ステップＳ１３を繰り返す。色彩選択肢１０６ａ〜１０６ｍのいずれかが選択された場合（Ｓ１３：ＹＥＳ）、ステップＳ１４に進む。
【００４６】
ステップＳ１４において、クライアント端末１２（初期設定制御部５０）は、表示部３２に表示される画面の背景色を、色彩選択画面１００（Ｓ１３）で選択された色彩選択肢１０６に対応する色（選択色）とする。ステップＳ１５において、クライアント端末１２（初期設定制御部５０）は、配信頻度確認画面１２０（以下「画面１２０」ともいう。）を表示する。
【００４７】
図５には、配信頻度確認画面１２０の一例が示されている。図５に示すように、画面１２０の上側には、画面１２０のタイトルとしての「設定」との文字１２２が表示される。また、画面１２０の上半分には、プッシュ配信の頻度（以下「配信頻度Ｆｄ」という。）を意味する「ポップアップ頻度」との説明１２４と共に、配信頻度Ｆｄを設定するためのスライダ１２６が表示される。ここでの配信頻度Ｆｄは、最も高いプッシュ配信の頻度を１００％として相対的な値として用いられる。
【００４８】
スライダ１２６は、アクティブ領域１２８と非アクティブ領域１３０とを含む。アクティブ領域１２８が広がり非アクティブ領域１３０が狭まるほど、配信頻度Ｆｄが高い（多い）ことを示す。アクティブ領域１２８が狭まり非アクティブ領域１３０が広がるほど、配信頻度Ｆｄが低い（少ない）ことを示す。ユーザは、操作部２６を操作してスライダ１２６の位置（アクティブ目盛）を変化させることにより、配信頻度Ｆｄ（ポップアップ頻度）を調整する。換言すると、クライアント端末１２（設定変更制御部５２）は、ユーザの操作に応じてスライダ１２６の位置（アクティブ目盛）を変化させることにより、配信頻度Ｆｄ（ポップアップ頻度）を調整する。
【００４９】
本実施形態では、クライアント端末１２（初期設定制御部５０）は、色彩選択画面１００で選択された色彩選択肢１０６（選択色）（図３のＳ１３）に応じて、画面１２０における配信頻度Ｆｄの初期値（すなわち、アクティブ領域１２８及び非アクティブ領域１３０それぞれの広さ）を設定する。例えば、赤、オレンジ、黄色等の明るい色である場合、配信頻度Ｆｄを多くし、紫、濃紺、青等の暗い色である場合、配信頻度Ｆｄを少なくする。より具体的には、赤、黄色、オレンジ、茶色、緑、ピンク、白、灰色、黒、水色、青、濃紺、紫の場合、それぞれ配信頻度Ｆｄを９０、９０、８０、８０、７０、５０、５０、５０、５０、５０、４０、２０、１０％とする。
【００５０】
画面１２０の右上には、配信頻度Ｆｄの設定（選択）完了を示す完了ボタン１３２が表示される。
【００５１】
画面１２０の下半分には、「あなたのキャラクタ」との文字１３４と共に、キャラクタ１３６及びその名前１３８が表示される。キャラクタ１３６及び名前１３８は、色彩選択画面１００で選択された色彩選択肢１０６（図３のＳ１３）に対応して選択される。
【００５２】
完了ボタン１３２が押されず、配信頻度Ｆｄの選択が完了していない場合（Ｓ１６：ＮＯ）、ステップＳ１６を繰り返す。完了ボタン１３２が押され、配信頻度Ｆｄの選択が完了した場合（Ｓ１６：ＹＥＳ）、ステップＳ１７において、クライアント端末１２（初期設定制御部５０）は、最初の各種設定確認画面１４０ａ（以下「各種設定初期画面１４０ａ」、「初期画面１４０ａ」又は「画面１４０ａ」ともいう。）を表示部３２に表示する。
【００５３】
図６には、各種設定初期画面１４０ａの一例が示され、図７には、各種設定初期画面１４０ａに続く各種設定確認画面１４０ｂ〜１４０ｄ（以下「画面１４０ｂ〜１４０ｄ」ともいう。）の一例が示されている。以下では、画面１４０ａ〜１４０ｄを各種設定確認画面１４０と総称する。また、図７では、画面１４０ｃ、１４０ｄの一部のみを示していることに留意されたい。
【００５４】
図６に示すように、初期画面１４０ａには、画面１４０ａのタイトルとしての「設定」との文字１４２と、設定項目１４４ａ、１４４ｂと、完了ボタン１４６とが示される。
【００５５】
設定項目１４４ａは、その内容を示す「簡単設定」との文字１５０ａと、文字１５０ａの右側に配置されたオンオフボタン１５２とを含む。クライアント端末１２のユーザは、ボタン１５２を操作することにより、簡単設定のオンオフをすることができる。ここにいう簡単設定とは、選択された色彩選択肢１０６（図３のＳ１３）に応じた配信設定を自動的に選択する設定である。
【００５６】
本実施形態では、色彩選択肢１０６の初回選択が行われた場合、簡単設定がオンにされる。そして、選択された色彩選択肢１０６に応じて各種設定が行われる設定項目を含む。
【００５７】
また、設定項目１４４ｂは、その内容を示す「ルール詳細設定」との文字１５０ｂと、文字１５０ｂの右側に配置された右山括弧１５４とを含む。右山括弧１５４をタッチすると、次の各種設定確認画面１４０ｂ（図７）が表示される。
【００５８】
画面１４０ｂでは、配信頻度確認画面１２０又は初期画面１４０ａにおいて選択される設定項目とは異なる配信設定項目が設定される。具体的には、画面１４０ｂには、画面１４０ｂのタイトルとしての「ルール詳細設定」との文字１６０と、設定項目１６２ａ〜１６２ｊと、戻るボタン１６４とが示される。なお、画面１４０ｂでは、設定項目１６２ａ〜１６２ｊが表示されているが、画面１４０ｂを上下にスクロールさせることで、その他の設定項目を表示することも可能である。
【００５９】
設定項目１６２ａ〜１６２ｊは、それぞれの内容を示すとの文字１６４ａ〜１６４ｊを含む。また、設定項目１６２ａ〜１６２ｈは、文字１６４ａ〜１６４ｈの右側に配置されたオンオフボタン１５２を含む。クライアント端末１２のユーザは、操作部２６（例えば、タッチパネル）を介してボタン１５２を操作することにより、各設定のオンオフをすることができる。
【００６０】
設定項目１６２ｉ、１６２ｊは、文字１６４ｉ、１６４ｊの右側に配置された右山括弧１５４を含む。ユーザが文字１６４ｉの右側の右山括弧１５４をタッチすると、画面１４０ｃ（音楽設定画面）が表示される。画面１４０ｃは、設定項目１７０ａ〜１７０ｃを含む。設定項目１７０ａ〜１７０ｃは、文字１７２ａ〜１７２ｃと、オンオフボタン１５２とを含む。
【００６１】
また、ユーザが文字１６４ｊの右側の右山括弧１５４をタッチすると、画面１４０ｄ（施設選択画面）が表示される。画面１４０ｄは、設定項目１８０ａ〜１８０ｄを含む。設定項目１８０ａ〜１８０ｄは、文字１８２ａ〜１８２ｄと、オンオフボタン１５２とを含む。
【００６２】
本実施形態では、設定項目１６２ａ〜１６２ｇ、１６２ｉ、１６２ｊ、１７０ａ〜１７０ｃ、１８０ａ〜１８０ｄは、色彩選択肢１０６に応じてオンオフが切り替えられる。すなわち、図７では、設定項目１６２ａ〜１６２ｇ、１６２ｉ、１６２ｊ、１７０ａ〜１７０ｃ、１８０ａ〜１８０ｄが全てオンとなっている。これは、色彩選択肢１０６のうち、例えば、色彩選択肢１０６ａ（赤）が選択された場合の初期値（初期設定）である。代わりに、色彩選択肢１０６ｆ（黒）が選択された場合、設定項目１６２ａ〜１６２ｇ、１６２ｉ、１６２ｊ、１７０ａ〜１７０ｃ、１８０ａ〜１８０ｄのいずれかの初期値をオフにする。色彩選択肢１０６に応じた初期値（初期設定）は、配信設定プログラムＰｄに含まれている。
【００６３】
残りの設定項目１６２ｈは、色彩選択肢１０６にかかわらず、オフに固定される。
【００６４】
図３に戻り、初期画面１４０ａ（図６）において完了ボタン１４６が押されず、各種設定の選択が完了していない場合（Ｓ１８：ＮＯ）、ステップＳ１８を繰り返す。初期画面１４０ａにおいて完了ボタン１４６が押され、各種設定の選択が完了した場合（Ｓ１８：ＹＥＳ）、ステップＳ１９に進む。ステップＳ１９において、クライアント端末１２は、ステップＳ１３、Ｓ１６、Ｓ１８での選択内容（すなわち、色彩選択肢１０６、配信頻度Ｆｄ及びその他の配信設定）並びにユーザＩＤをサーバ１４に送信する。
【００６５】
（２−３−２．配信設定の更新）
配信設定の更新（すなわち、２回目以降の配信設定の入力）をする場合、初回入力（図３）と同様の処理を行うことができる。この場合、画面１００中のメッセージ１０２（図４）は、配信設定の更新に適した内容（例えば、「今の色をかえますか？」）とする。
【００６６】
或いは、配信設定の更新時には、初回入力時とは異なる流れとすることも可能である。例えば、配信設定プログラムＰｄ（ＰＡＡＰ）の２回目以降の起動時には、まず配信設定を変更又は確認するための画面（配信設定変更画面）を表示し、当該配信設定変更画面には、色彩選択肢１０６ａ〜１０６ｍを再選択するための選択肢（色彩再選択用選択肢）を含める。そして、ユーザが色彩再選択用選択肢を選択することで、図４の画面１００と同様の画面を表示してもよい。その後の流れは、図３と同様とすることができる。
【００６７】
（２−４．サーバ１４での登録）
サーバ１４は、クライアント端末１２から送信された選択内容及びユーザＩＤ（図３のＳ１９）を受信すると、ユーザＩＤと関連付けて選択内容をユーザＤＢ９０（図１）に記憶する。既にユーザＤＢ９０に記憶されている情報が存在する場合、サーバ１４は、情報を更新する。
【００６８】
（２−５．サーバ１４からクライアント端末１２へのプッシュ配信及びクライアント端末１２での表示）
サーバ１４は、登録した配信設定（例えば、配信頻度Ｆｄ、送信すべきお薦め情報Ｉｒｅｃ等）に応じてクライアント端末１２に対してお薦め情報Ｉｒｅｃをプッシュ配信する。上記のように、配信設定としては、プッシュ配信のための配信頻度Ｆｄ等の各種設定が含まれる。従って、サーバ１４は、これらの設定に応じてお薦め情報Ｉｒｅｃをプッシュ配信する。
【００６９】
クライアント端末１２は、サーバ１４から配信されたお薦め情報Ｉｒｅｃを受信して表示部３２に表示する。クライアント端末１２においてお薦め情報Ｉｒｅｃを表示するタイミングは、例えば、お薦め情報Ｉｒｅｃの受信時とすることができる。或いは、表示部３２の初期画面（メインメニュー画面）に「お薦め情報の表示」とのアイコン（お薦め情報表示アイコン）を設けておき、当該アイコンが選択された際にお薦め情報Ｉｒｅｃを表示してもよい。
【００７０】
或いは、クライアント端末１２からサーバ１４に対して現在位置情報を所定のタイミング（例えば、一定時間間隔）送信する場合、その後に移動した位置に対応したタイミングでお薦め情報Ｉｒｅｃを表示することも可能である。例えば、クライアント端末１２の現在位置の周辺に関する情報である周辺情報（施設情報、イベント情報等）を当該周辺の位置情報と共にサーバ１４からクライアント端末１２にプッシュ配信する。その後、クライアント端末１２が、当該周辺まで所定距離内の位置に到達したとき、クライアント端末１２は、当該周辺情報を表示する。
【００７１】
或いは、その他の表示タイミング（例えば、サーバ１４で設定し、お薦め情報Ｉｒｅｃで指定された任意のタイミング）でお薦め情報Ｉｒｅｃを表示することも可能である。
【００７２】
［３．本実施形態の効果］
以上のように、本実施形態によれば、ユーザが色彩選択肢１０６を選択することにより、プッシュ配信のための配信設定を入力することが可能となる。このため、配信設定に関するユーザの入力の手間を省くことが可能となる。これにより、特に、配信設定を初めて入力する場合にユーザの利便性を向上することが可能となる。
【００７３】
また、配信設定の中に、内容がわかり難い項目、ユーザが知らない項目又はユーザが誤解していた項目（例えば、ユーザが不要であると決めつけていたが、実はユーザにとって興味深い項目）がある場合、ユーザに有益な配信設定を行うことが可能となる。特に、色彩は、その時点のユーザの気分を反映するものであるため、色彩選択肢１０６の選択を、比較的高い頻度で（例えば、毎日）行うようにすれば、配信設定に関する理解をユーザに強いることなく、ユーザに有益な配信を行うことができる可能性が高まる。
【００７４】
さらに、色彩は、ユーザの心理状態や嗜好、性格を表すものとして用いることが可能である。このため、心理状態、嗜好又は性格と色彩とを心理学の知見を用いて関連付けた上で、色彩と配信設定を対応付けることで、ユーザにとってさらに有益な又は効果的な配信設定を実現することが可能となる。
【００７５】
本実施形態において、色彩選択肢１０６に対応して選択される配信設定は、サーバ１４がお薦め情報Ｉｒｅｃ（各種情報）をプッシュ配信する配信頻度Ｆｄを含む（図３のＳ１５及び図５参照）。どの程度の配信頻度Ｆｄとすることが適切であるかを判断することはユーザが即断することが困難であるとも考えられる。本実施形態によれば、色彩選択肢１０６の選択により配信頻度Ｆｄを設定することができるため、配信頻度Ｆｄを選択するユーザの戸惑いや、配信頻度Ｆｄの調節の手間を軽減することが可能となる。
【００７６】
加えて、色彩が示す心理状態、嗜好又は性格を踏まえた上で、色彩と配信頻度Ｆｄを関連付ければ、色彩の選択を介して、ユーザの心理状態、嗜好又は性格に合わせて配信頻度Ｆｄを設定することが可能となる。
【００７７】
本実施形態において、クライアント端末１２は、選択された色彩選択肢１０６に対応する配信設定に加え、選択された色彩選択肢１０６に対応するキャラクタ１３６を配信頻度確認画面１２０（配信設定確認画面）に表示する（図５）。これにより、ユーザが選択した色彩選択肢１０６に対応するキャラクタ１３６を、配信設定と共に画面１２０に表示することが可能となる。従って、ユーザに対して、色彩選択肢１０６を選択する動機を付与すると共に、配信設定の確認を楽しく行わせることが可能となる。
【００７８】
本実施形態において、クライアント端末１２は、配信頻度確認画面１２０（図５）、各種設定確認画面１４０ａ〜１４０ｄ（図６及び図７）及びその後の表示画面の背景色として、選択された色彩を用いる（図３のＳ１４）。これにより、配信設定のための色彩の選択が、画面１２０、１４０ａ〜１４０ｄ等の画面の背景色の選択を兼ねることとなる。このため、ユーザにとって、配信設定のための色彩の選択をより興味深いものとすることが可能となる。また、色彩選択肢１０６に対応した配信設定を繰り返し行う場合、ユーザは、色彩選択肢１０６の選択に伴う背景色の変化を楽しむことができる。
【００７９】
Ｂ．変形例
なお、本発明は、上記実施形態に限らず、本明細書の記載内容に基づき、種々の構成を採り得ることはもちろんである。例えば、以下に示す構成を採ることができる。
【００８０】
［１．クライアント端末１２］
上記実施形態におけるクライアント端末１２は、スマートフォンであった。しかしながら、例えば、サーバ１４がプッシュ配信した各種情報（お薦め情報Ｉｒｅｃ）を受信する観点からすれば、クライアント端末１２は、その他の構成（例えば、タブレット型コンピュータ、ノート型パーソナルコンピュータ（ＰＣ）又はデスクトップ型ＰＣ）であってもよい。
【００８１】
［２．配信設定プログラムＰｄ］
上記実施形態では、配信設定をするためのソフトウェア（配信設定プログラムＰｄ）は、サーバ１４からクライアント端末１２にダウンロードして用いた。しかしながら、例えば、サーバ１４からクライアント端末１２へのプッシュ配信をするための配信設定をする観点からすれば、これに限らない。例えば、配信設定プログラムＰｄのダウンロードを伴わないいわゆるＡＳＰ（Application Service Provider）型で配信設定を行ってもよい。
【００８２】
［３．色彩選択画面１００］
上記実施形態では、色彩選択画面１００における色彩選択肢１０６は、無模様且つ同一形状であった（図４）。しかしながら、例えば、選択された色彩選択肢１０６に応じて配信設定を選択する観点からすれば、これに限らず、各色彩選択肢１０６は、模様付き又は異なる形状で表示してもよい。
【００８３】
上記実施形態では、色彩選択画面１００に表示された色彩選択肢１０６の中から１つを選択することを前提としていた（図４）。しかしながら、例えば、選択された色彩選択肢１０６に応じて配信設定を選択する観点からすれば、色彩選択肢１０６の中から複数を選択する構成も可能である。その場合、色彩選択肢１０６の組合せ毎に配信設定を特定すればよい。
【００８４】
図８は、上記実施形態の色彩選択画面１００（図４）の変形例としての色彩選択画面２００（以下「画面２００」ともいう。）を示す図である。図９は、図８の色彩選択画面２００に続いて表示される各種設定確認画面２２０（以下「画面２２０」ともいう。）の一例を示す図である。
【００８５】
図８に示すように、画面２００の上側には、「あなたの色えらび」とのタイトル２０２が表示され、その下には、「それぞれのグループの中から好きな色を選んでね」とのメッセージ２０４が表示される。さらに、メッセージ２０４の下には、色彩選択肢２０８ａ〜２０８ｌを含む３つのグループ（第１グループ２０６ａ、第２グループ２０６ｂ及び第３グループ２０６ｃ）が表示される。
【００８６】
第１グループ２０６ａに含まれる色彩選択肢２０８ａ〜２０８ｃは、いずれも１名の人の上半身をかたどった形状をしており、それぞれの色は、赤、黄、濃紺である。第２グループ２０６ｂに含まれる色彩選択肢２０８ｄ〜２０８ｆは、いずれも複数名の人の上半身をかたどった形状をしており、それぞれの色は、オレンジ、緑、紫である。第３グループ２０６ｃに含まれる色彩選択肢２０８ｇ〜２０８ｌは、いずれもハート形状をしており、それぞれの色は、ピンク、茶色、金、黄緑、水色、青である。各グループ２０６ａ〜２０６ｃは、特定する配信設定に応じて分類される。以下では、色彩選択肢２０８ｇ〜２０８ｌを色彩選択肢２０８と総称する。
【００８７】
画面２００の下側には、ＯＫボタン２１０が表示される。各グループ２０６ａ〜２０６ｃにおいて色彩選択肢２０８を選択した状態で、ＯＫボタン２１０を押すと、選択された色彩選択肢２０８の組合せに対応して設定項目２２４ａ〜２２４ｊ（図９）の各設定のオンオフが選択された画面２２０が表示される。画面２２０の詳細については、後述する。
【００８８】
［４．配信頻度確認画面１２０及び各種設定確認画面１４０ａ〜１４０ｄ（配信設定確認画面）］
上記実施形態では、配信頻度確認画面１２０において、色彩選択肢１０６に応じたキャラクタ１３６及びその名前１３８を表示した（図５）。しかしながら、例えば、選択された色彩選択肢１０６に応じて配信設定を選択する観点からすれば、キャラクタ１３６及び名前１３８は、選択された色彩選択肢１０６に応じたものでなくてもよい。或いは、キャラクタ１３６及び名前１３８は、表示しないことも可能である。
【００８９】
上記実施形態では、配信頻度確認画面１２０、各種設定確認画面１４０ａ〜１４０ｄ及びその後の表示画面の背景色を、選択された色彩選択肢１０６に応じた色（選択色）とした（図３のＳ１４）。しかしながら、例えば、選択された色彩選択肢１０６に応じて配信設定を選択する観点からすれば、画面１２０、１４０ａ〜１４０ｄ等の画面のいずれかのみの背景色を、選択された色彩選択肢１０６に応じた色（選択色）としてもよい。或いは、画面１２０、１４０ａ〜１４０ｄ等の背景色を、選択された色彩選択肢１０６に応じた色（選択色）としなくてもよい。例えば、画面１２０、１４０ａ〜１４０ｄ等の背景色は、選択された色彩選択肢１０６に応じた色（選択色）にかかわらず、同一としてもよい。
【００９０】
上記実施形態では、各種設定確認画面１４０ａ〜１４０ｄ（図６及び図７）とは別に配信頻度確認画面１２０（図５）を表示した。しかしながら、例えば、選択された色彩選択肢１０６に応じて配信設定を選択する観点からすれば、配信頻度確認画面１２０の表示内容を、各種設定確認画面１４０ａ〜１４０ｄに含ませてもよい。
【００９１】
上記実施形態では、選択された色彩選択肢１０６に対応する配信設定を、配信頻度確認画面１２０（図５）又は各種設定確認画面１４０ａ〜１４０ｄ（図６及び図７）に表示してユーザの確認又は変更を可能とした。しかしながら、例えば、選択された色彩選択肢１０６に応じて配信設定を選択する観点からすれば、画面１２０、１４０ａ〜１４０ｄでの確認又は変更を経ずに、選択された色彩選択肢１０６に応じた配信設定をクライアント端末１２又はサーバ１４において選択してもよい。
【００９２】
上記実施形態では、色彩選択肢１０６が選択されると（図３のＳ１３：ＹＥＳ）、配信頻度確認画面１２０を直ちに表示した（Ｓ１５）。しかしながら、例えば、選択された色彩選択肢１０６に応じて配信設定を選択する観点からすれば、色彩選択肢１０６の選択と、これに対応する配信設定確認画面（画面１２０、１４０ａ〜１４０ｄ）の表示は、時間を置いて又は別の入力処理を挟んで行ってもよい。例えば、色彩選択肢１０６の選択の直後に、氏名、年齢、住所の入力を行う個人情報入力画面を表示した後、配信頻度確認画面１２０又は各種設定確認画面１４０ａ〜１４０ｄを表示してもよい。
【００９３】
上記実施形態では、各種設定確認画面１４０ａ〜１４０ｄ（図６及び図７）に示す配信設定（設定項目１４４ａ、１４４ｂ、１６２ａ〜１６２ｊ、１７０ａ〜１７０ｃ、１８０ａ〜１８０ｄ）を選択可能とした。しかしながら、例えば、選択された色彩選択肢１０６に応じて配信設定を選択する観点からすれば、選択可能な配信設定は、これに限らない。例えば、図９に示すような配信設定を選択可能とすることもできる。
【００９４】
図９に示す各種設定確認画面２２０には、画面２２０のタイトルとしての「設定」との文字２２２と、設定項目２２４ａ〜２２４ｊと、完了ボタン２２６とが示される。
【００９５】
設定項目２２４ａ〜２２４ｊは、サーバ１４がプッシュ配信するお薦め情報Ｉｒｅｃの種類を選択する設定（種類選択設定）である。設定項目２２４ａ〜２２４ｊは、それぞれの内容を示すとの文字２２８ａ〜２２８ｊを含む。また、設定項目２２４ａ〜２２４ｊは、文字２２８ａ〜２２８ｊの右側に配置されたオンオフボタン１５２を含む。クライアント端末１２のユーザは、ボタン１５２を操作することにより、各設定のオンオフをすることができる。
【００９６】
設定項目２２４ａ〜２２４ｊの初期値（初期設定）は、選択された色彩選択肢２０８の組合せに応じて選択される。すなわち、各設定項目２２４ａ〜２２４ｊのボタン１５２のオンオフの初期値（初期設定）は、色彩選択肢２０８の組合せ毎に記憶部３０（配信設定プログラムＰｄ）に記憶されており、ユーザが選択した色彩選択肢２０８の組合せに応じて変化する。また、画面２２０（確認画面）では、ユーザの操作に応じて種類選択設定の変更が可能であり、サーバ１４は、画面２２０で確認された種類選択設定に応じたお薦め情報Ｉｒｅｃをクライアント端末１２に配信する。
【００９７】
上記によれば、ユーザが選択した色彩選択肢２０８の組合せに応じて種類選択設定の初期値が選択される。このため、複数種類の色彩の組合せでユーザの心理状態や嗜好を選択することが可能となり、画面２２０においてユーザによる確認又は変更を経た種類選択設定に応じたお薦め情報Ｉｒｅｃをプッシュ配信する。このため、複数種類の色彩の組合せによる判定結果を利用して設定した、ユーザの嗜好又は要望に合ったプッシュ配信（パーソナルサービス）をすることが可能となる。
【００９８】
［５．クライアント端末１２からサーバ１４に送信される情報］
上記実施形態では、色彩選択肢１０６に応じた配信頻度Ｆｄの特定をクライアント端末１２で行い、クライアント端末１２からサーバ１４に対して配信頻度Ｆｄを送信した。しかしながら、例えば、選択された色彩選択肢１０６に応じて配信頻度Ｆｄを設定する観点からすれば、選択された色彩選択肢１０６をクライアント端末１２からサーバ１４に送信し、サーバ１４において配信頻度Ｆｄを設定してもよい。その他の配信設定についても同様である。すなわち、クライアント端末１２から受信した色彩選択肢１０６に応じてサーバ１４が配信設定を選択してもよい。
【００９９】
［６．その他］
上記実施形態では、サーバ１４からクライアント端末１２に対してお薦め情報Ｉｒｅｃをプッシュ配信する情報配信システム１０に本発明を適用した（図１）。しかしながら、例えば、選択された色彩選択肢１０６に応じて設定を自動入力する観点からすれば、これに限らない。
【符号の説明】
【０１００】
１０…情報配信システム              １２…クライアント端末
１４…配信サーバ（サーバ）          １００…色彩選択画面
１０６ａ〜１０６ｍ…色彩選択肢（色彩の選択肢）
１２０…配信頻度確認画面（確認画面）
１３６…キャラクタ
１４０ａ〜１４０ｄ…各種設定確認画面（確認画面）
Ｆｄ…配信頻度                      Ｉｒｅｃ…お薦め情報（各種情報）
【図１】
2015035029.tif 000003
【図２】
2015035029.tif 000004
【図３】
2015035029.tif 000005
【図４】
2015035029.tif 000006
【図５】
2015035029.tif 000007
【図６】
2015035029.tif 000008
【図７】
2015035029.tif 000009
【図８】
2015035029.tif 000010
【図９】
2015035029.tif 000011